(57)【要約】【課題】庫内温度と蒸発器の入口側温度との温度差に基づき膨張弁の弁開度を制御する場合においても、膨張弁の異常を確実に判断する。【解決手段】本発明の冷凍サイクル装置１０は、圧縮機１８、放熱器１９、膨張弁８及び蒸発器１１を含む冷媒回路７を備えたものであって、圧縮機１８及び膨張弁８を制御する制御装置９を備え、制御装置９は、蒸発器１１により冷却される庫内温度ＰＴに基づいて圧縮機１８の運転を制御し、庫内温度ＰＴとエバ入口温度ＥＩＮＴとの温度差Ｔｅが所定の目標温度差Ｔｅｓとなるように膨張弁８の弁開度を制御すると共に、温度差Ｔｅが所定の限界値Ｔｅまで縮小し、その状態が所定期間ｔ３又はｔ４継続した場合、膨張弁８の異常と判断する。【選択図】図７
2012102970.tif 000002
【特許請求の範囲】
【請求項１】
圧縮装置、放熱器、膨張弁及び蒸発器を含む冷媒回路を備えた冷凍サイクル装置において、
前記圧縮装置及び膨張弁を制御する制御手段を備え、
該制御手段は、前記蒸発器により冷却される被冷却空間の温度に基づいて前記圧縮装置の運転を制御し、前記被冷却空間の温度と前記蒸発器の入口側温度との温度差が所定の目標温度差となるように前記膨張弁の弁開度を制御すると共に、
前記温度差が所定の限界値まで縮小し、その状態が所定期間継続した場合、前記膨張弁の異常と判断することを特徴とする冷凍サイクル装置。
【請求項２】
前記制御手段は、プルダウン運転の開始から前記被冷却空間の温度が所定の冷却到達温度に低下するまでのプルダウン時における前記目標温度差より、前記被冷却空間の温度が前記冷却到達温度以下の安定時における当該目標温度差を小さくすると共に、
前記プルダウン時における前記限界値より前記安定時における当該限界値を小さくすることを特徴とする請求項１に記載の冷凍サイクル装置。
【請求項３】
前記制御手段は、前記被冷却空間の温度と前記蒸発器の入口側温度との前記温度差による判断に関わらず、前記被冷却空間の温度が所定の高温設定値以上に上昇し、その状態が所定期間継続した場合、前記膨張弁の異常と判断することを特徴とする請求項１又は請求項２に記載の冷凍サイクル装置。
【請求項４】
前記制御手段は、前記膨張弁の異常と判断した場合、前記圧縮装置を停止し、前記膨張弁の開度を全閉とした後、所定の規定開度とする回避動作を実行した後、前記圧縮装置を起動することを特徴とする請求項１乃至請求項３のうちの何れか一つに記載の冷凍サイクル装置。
【請求項５】
前記制御手段は、前記被冷却空間の温度が所定の異常高温設定値以上に上昇し、その状態が所定期間継続した場合、又は、前記被冷却空間の温度が前記高温設定値より高い所定の異常高温設定値以上に上昇し、その状態が所定期間継続した場合、所定の警報を発し、運転を停止することを特徴とする請求項４に記載の冷凍サイクル装置。
【請求項６】
分流器、副減圧装置、中間熱交換器を更に備えると共に、前記圧縮装置は、低段側圧縮手段と高段側圧縮手段を有し、
前記低段側圧縮手段で圧縮されて吐出された冷媒を前記高段側圧縮手段に吸い込ませて圧縮し、該高段側圧縮手段から吐出された冷媒を前記放熱器に流すと共に、当該放熱器から出た冷媒を前記分流器にて主回路と副回路とに分流し、該副回路に流れる冷媒を前記副減圧装置から前記中間熱交換器に流して前記分流器から前記主回路に流れる冷媒と熱交換させた後、前記高段側圧縮手段に吸い込ませ、前記主回路に流れる冷媒を前記膨張弁から前記蒸発器に流した後、前記低段側圧縮手段に吸い込ませることを特徴とする請求項１乃至請求項５のうちの何れか一つに記載の冷凍サイクル装置。
【請求項７】
冷媒として二酸化炭素を使用したことを特徴とする請求項６に記載の冷凍サイクル装置。
【発明の詳細な説明】
【技術分野】
【０００１】
本発明は、圧縮装置、放熱器、膨張弁及び蒸発器を含む冷媒回路を備えた冷凍サイクル装置に関するものであって、特に、膨張弁の制御に関する。
【背景技術】
【０００２】
従来より、例えば低温ショーケースに採用される冷凍サイクル装置は、圧縮装置、放熱器、減圧装置及び蒸発器などを配管により順次環状に接続して所定の冷媒回路を形成すると共に、この冷媒回路内には所定量の冷媒が封入されて構成されている。そして、圧縮装置が運転されると、冷媒は圧縮されて高温高圧のガス状態となり、凝縮器に流入する。凝縮器において冷媒は放熱し、凝縮液化した後、減圧装置にて減圧され、蒸発器に供給される。蒸発器内においては減圧された後の液冷媒が蒸発し、そのときに周囲から吸熱することにより冷却作用を発揮する。
【０００３】
ここで、蒸発器による冷却作用を精密に制御するため、減圧装置として膨張弁が用いられている。通常、この膨張弁は、冷媒回路を循環する流量を制御して、凝縮後の冷媒を減圧させるものであり、冷却負荷に応じて弁開度が調整される。特許文献１に示される如き膨張弁は、蒸発器の出口側と入口側にそれぞれ設けられる温度センサの出力に基づき蒸発器における冷媒の過熱度を測定し、当該過熱度が一定となるように弁開度制御を行っていた。
【０００４】
一方、昨今では、フロン系冷媒の規制により代替品として自然冷媒である二酸化炭素が採用されている。この二酸化炭素冷媒は高低圧差が激しい冷媒で、臨界圧力が低く、圧縮により冷媒サイクルの高圧側が超臨界状態となることが知られている。
【０００５】
係る超臨界冷媒サイクルでは、放熱器側の熱源温度（例えば、放熱器と熱交換する熱媒体である外気温度）が高い等の原因により、放熱器出口の冷媒温度が高くなる条件下においては、蒸発器入口の比エンタルピが大きくなるため、冷凍効果が著しく低下する問題が生じていた。この場合、冷凍能力を確保するには、高圧圧力を上昇させる必要があるため、圧縮動力が増大して、成績係数も低下する不都合が生じる。
【０００６】
このため、放熱器で冷却された冷媒を２つの冷媒流に分流し、分流された一方の冷媒流（第１の冷媒流）を補助絞り手段で絞った後に中間熱交換器の一方の通路（第１の流路）に流し、もう一方の冷媒流（第２の流路）を中間熱交換器の前記第１の流路と交熱的に設けられた他方の通路（第２の流路）に流した後、膨張弁を介して蒸発器にて蒸発させる所謂スプリットサイクル（二段圧縮一段膨張中間冷却サイクル）の冷凍装置が提案されている（例えば特許文献２）。
【先行技術文献】
【特許文献】
【０００７】
【特許文献１】特開平８−３２７１６１号公報
【特許文献２】特開２００６−２４２５５７号公報
【発明の概要】
【発明が解決しようとする課題】
【０００８】
一方、所謂プルダウン時では、周囲温度が低い、若しくは、被冷却空間の負荷が低いと、直ぐに蒸発器の出口側温度が入口側温度に近い温度にまで低下してしまい、制御装置が膨張弁を閉め続ける制御を行ってしまう。
【０００９】
そこで、従来では、膨張弁の閉めすぎによる蒸発器の閉塞を未然に回避するため、また、蒸発器の入口側温度が圧縮装置の使用限界の基準として定められた使用基準を下回らないように適切に制御するため、被冷却空間の温度（庫内温度ＰＴ）と蒸発器の入口側温度（エバ入口温度ＥＩＮＴ）との温度差Ｔｅ（＝ＰＴ−ＥＩＮＴ）が一定の目標温度差Ｔｅｓとなるように膨張弁の弁開度を制御していた。
【００１０】
このとき、庫内温度ＰＴが、被冷却空間の設定温度（庫内設定温度ＳＴ）より所定温度ＤＦ１例えば、１０ｄｅｇ高い冷却到達温度ＣＨＴ（＝ＳＴ＋ＤＦ１）より高いか否かで判定し、庫内温度ＰＴ＞冷却到達温度ＣＨＴの場合はプルダウン時、冷却到達温度ＣＨＴ≦庫内温度ＰＴの場合は安定時と判定する。
【００１１】
そして、プルダウン時では、上記目標温度差Ｔｅｓを例えばＴｅｓ１＝２０ｄｅｇとし、安定時では、プルダウン時よりも小さい例えばＴｅｓ２＝１５ｄｅｇとする。膨張弁の操作量は、プルダウン時では大きく、安定時はプルダウン時より小さく、即ち、プルダウン時は安定時よりも一回の操作で大きく開度を変化させ、プルダウン時及び安定時において効率的な冷却制御を実行していた。
【００１２】
上記制御を行っている際に、膨張弁につまりが発生した場合、圧縮装置によって高温高圧の冷媒が吐出されると、冷媒回路内において異常高圧が生じてしまう。そのため、制御装置は、蒸発器の入口側温度の上昇が長時間継続している場合には、膨張弁が閉塞したものと判断し、膨張弁の開度を大きく開き、当該膨張弁の閉塞を解消していた。
【００１３】
しかしながら、実際に蒸発器の入口側温度の上昇が長時間継続してしまうと、当該冷凍サイクル装置が、例えば、業務用冷凍庫などに採用されていた場合、収容されていた物品が温度上昇して、品質低下を招来する。また、上記膨張弁の詰まり以外にも、電気回路に異常が発生して膨張弁の動作不良、不能に陥った場合、膨張弁の開度制御を行えなくなり、収容物品の温度上昇を招来することとなる。
【００１４】
本発明は、従来の技術的課題を解決するためになされたものであり、被冷却空間の温度と蒸発器の入口側温度との温度差に基づき膨張弁の弁開度を制御する場合においても、膨張弁の異常を確実に判断することができる冷凍サイクル装置を提供する。
【課題を解決するための手段】
【００１５】
上記課題を解決するために、本発明の冷凍サイクル装置は、圧縮装置、放熱器、膨張弁及び蒸発器を含む冷媒回路を備えたものであって、圧縮装置及び膨張弁を制御する制御手段を備え、該制御手段は、蒸発器により冷却される被冷却空間の温度に基づいて圧縮装置の運転を制御し、被冷却空間の温度と蒸発器の入口側温度との温度差が所定の目標温度差となるように膨張弁の弁開度を制御すると共に、温度差が所定の限界値まで縮小し、その状態が所定期間継続した場合、膨張弁の異常と判断することを特徴とする。
【００１６】
請求項２の発明は、上記発明において、制御手段は、プルダウン運転の開始から被冷却空間の温度が所定の冷却到達温度に低下するまでのプルダウン時における目標温度差より、被冷却空間の温度が冷却到達温度以下の安定時における当該目標温度差を小さくすると共に、プルダウン時における限界値より安定時における当該限界値を小さくすることを特徴とする。
【００１７】
請求項３の発明は、上記各発明において、制御手段は、被冷却空間の温度と蒸発器の入口側温度との温度差による判断に関わらず、被冷却空間の温度が所定の高温設定値以上に上昇し、その状態が所定期間継続した場合、膨張弁の異常と判断することを特徴とする。
【００１８】
請求項４の発明は、上記各発明において、制御手段は、膨張弁の異常と判断した場合、圧縮装置を停止し、膨張弁の開度を全閉とした後、所定の規定開度とする回避動作を実行した後、圧縮装置を起動することを特徴とする。
【００１９】
請求項５の発明は、上記発明において、制御手段は、被冷却空間の温度が所定の異常高温設定値以上に上昇し、その状態が所定期間継続した場合、又は、被冷却空間の温度が高温設定値より高い所定の異常高温設定値以上に上昇し、その状態が所定期間継続した場合、所定の警報を発し、運転を停止することを特徴とする。
【００２０】
請求項６の発明は、上記各発明において、分流器、副減圧装置、中間熱交換器を更に備えると共に、圧縮装置は、低段側圧縮手段と高段側圧縮手段を有し、低段側圧縮手段で圧縮されて吐出された冷媒を高段側圧縮手段に吸い込ませて圧縮し、該高段側圧縮手段から吐出された冷媒を放熱器に流すと共に、当該放熱器から出た冷媒を分流器にて主回路と副回路とに分流し、該副回路に流れる冷媒を副減圧装置から中間熱交換器に流して分流器から主回路に流れる冷媒と熱交換させた後、高段側圧縮手段に吸い込ませ、主回路に流れる冷媒を膨張弁から蒸発器に流した後、低段側圧縮手段に吸い込ませることを特徴とする。
【００２１】
請求項７の発明は、上記発明において、冷媒として二酸化炭素を使用したことを特徴とする。
【発明の効果】
【００２２】
本発明によれば、圧縮装置、放熱器、膨張弁及び蒸発器を含む冷媒回路を備えた冷凍サイクル装置において、圧縮装置及び膨張弁を制御する制御手段を備え、該制御手段は、蒸発器により冷却される被冷却空間の温度に基づいて圧縮装置の運転を制御し、被冷却空間の温度と蒸発器の入口側温度との温度差が所定の目標温度差となるように膨張弁の弁開度を制御すると共に、温度差が所定の限界値まで縮小し、その状態が所定期間継続した場合、膨張弁の異常と判断することにより、被冷却空間の温度と蒸発器の入口側温度との温度差で膨張弁の弁開度を制御することにより、圧縮装置の使用限界基準を下回らないような適切な制御を実現しつつ、膨張弁の異常を確実に判断することが可能となる。
【００２３】
また、請求項２の発明の発明の如く、制御手段は、プルダウン運転の開始から被冷却空間の温度が所定の冷却到達温度に低下するまでのプルダウン時における目標温度差より、被冷却空間の温度が冷却到達温度以下の安定時における当該目標温度差を小さくすると共に、プルダウン時における限界値より安定時における当該限界値を小さくすることにより、プルダウン時では早期冷却を実現し、安定時では精度の高い温度制御を実現することを可能としつつ、いずれの場合であっても、より的確に膨張弁の異常を判断することができる。
【００２４】
請求項３の発明によれば、上記各発明において、制御手段は、被冷却空間の温度と蒸発器の入口側温度との温度差による判断に関わらず、被冷却空間の温度が所定の高温設定値以上に上昇し、その状態が所定期間継続した場合、膨張弁の異常と判断することにより、被冷却空間の温度と蒸発器の入口側温度との温度差による判断と平行して、高温異常によっても膨張弁の異常を判断し、より確実に膨張弁の異常を判断して被冷却空間に収容された被冷却物の保護を図ることが可能となる。
【００２５】
請求項４の発明によれば、上記各発明において、制御手段は、膨張弁の異常と判断した場合、圧縮装置を停止し、膨張弁の開度を全閉とした後、所定の規定開度とする回避動作を実行した後、圧縮装置を起動することにより、一時的な異常を解消することが可能となる。これにより、継続して冷却運転を実行することが可能となる。
【００２６】
請求項５の発明によれば、上記発明において、制御手段は、被冷却空間の温度が所定の異常高温設定値以上に上昇し、その状態が所定期間継続した場合、又は、被冷却空間の温度が高温設定値より高い所定の異常高温設定値以上に上昇し、その状態が所定期間継続した場合、所定の警報を発し、運転を停止することにより、上記回避動作を実行しても高温異常が継続した場合、運転を停止して、警報を発することで点検を促すことが可能となる。これにより、早期に点検を実施し、異常に対応することが可能となる。
【００２７】
請求項６の発明によれば、上記各発明において、分流器、副減圧装置、中間熱交換器を更に備えると共に、圧縮装置は、低段側圧縮手段と高段側圧縮手段を有し、低段側圧縮手段で圧縮されて吐出された冷媒を高段側圧縮手段に吸い込ませて圧縮し、該高段側圧縮手段から吐出された冷媒を放熱器に流すと共に、当該放熱器から出た冷媒を分流器にて主回路と副回路とに分流し、該副回路に流れる冷媒を副減圧装置から中間熱交換器に流して分流器から主回路に流れる冷媒と熱交換させた後、高段側圧縮手段に吸い込ませ、主回路に流れる冷媒を膨張弁から蒸発器に流した後、低段側圧縮手段に吸い込ませることにより、放熱器で放熱した後の冷媒を分流し、副減圧装置で減圧膨張された副回路の冷媒流により、主回路の冷媒流を冷却することができるようになり、蒸発器入口の比エンタルピを小さくすることができるようになる。これにより、冷凍効果を大きくすることが可能となり、従来の装置に比べて効果的に性能を向上させることができるようになる。また、分流された副回路の冷媒流は圧縮手段の中間圧部に戻されるため、圧縮手段の低圧部に吸い込まれる主回路の冷媒流の量が減少し、低圧から中間圧まで圧縮するための圧縮手段における圧縮仕事量が減少する。その結果、圧縮手段における圧縮動力が低下して成績係数が向上する。
【００２８】
このような、上記所謂スプリットサイクルの冷凍サイクル装置において、上記各発明を採用することにより、副減圧装置と膨張弁の二つの減圧装置を備えた場合であっても、蒸発器に流入する冷媒を減圧する膨張弁の異常を的確に判断し、被冷却空間の温度が致命的な温度にまで上昇してしまう不都合を未然に回避することを可能とすることができる。
【００２９】
請求項７の発明によれば、上記発明において、冷媒として二酸化炭素を使用したことにより、冷凍能力を効果的に改善でき、性能の向上を図ることができる。
【図面の簡単な説明】
【００３０】
【図１】本発明の冷凍サイクル装置を適用する実施例としての業務用冷凍庫の縦断側面図である。
【図２】冷凍サイクル装置の冷凍機側ユニットの概略斜視図である。
【図３】蒸発器の斜視図である。
【図４】冷凍サイクル装置の冷媒回路図である。
【図５】制御装置の電気ブロック図である。
【図６】運転状態及び高温異常判定の説明図である。
【図７】膨張弁異常判定の説明図である。
【発明を実施するための形態】
【００３１】
以下、図面に基づき本発明の実施形態を詳述する。図１は本発明の冷凍サイクル装置１０を適用する実施例としての業務用冷凍庫（低温貯蔵庫）Ｒの縦断側面図、図２は冷凍サイクル装置１０の冷凍機側ユニットの概略斜視図、図３は蒸発器１１の斜視図、図４は冷凍サイクル装置１０の冷媒回路図をそれぞれ示している。
【００３２】
実施例の冷凍庫Ｒは、例えばホテルやレストランの厨房などに設置されるものであり、前面開口２２が扉６にて開閉自在に閉塞される断熱箱体１により本体が構成されている。この断熱箱体１内には、貯蔵室（被冷却空間）５が構成されている。
【００３３】
また、貯蔵室５内上部には、本願発明にかかる冷凍サイクル装置１０の蒸発器１１と冷気循環用送風機１２が取り付けられる冷却室１４が仕切板１３によって区画形成されている。冷気循環用送風機１２より貯蔵室５から冷却室１４に吸い込まれた冷気は、蒸発器１１と熱交換された後、冷却室１４後方の開口から吐出されて、貯蔵室５内は所定の温度に冷却される。
【００３４】
一方、断熱箱体１の天面には前面パネル１６等のパネルによって機械室１７が画成され、断熱箱体１の天面に形成された開口１Ａは、断熱板にて構成されるユニット板２１にて閉塞される。このユニット板２１の上面には、機械室１７内に位置して蒸発器１１と共に冷凍サイクル装置１０の冷媒回路７を構成する圧縮機（圧縮装置）１８、放熱器１９と、当該放熱器１９を冷却する放熱器用送風機２０、電装箱２５等が設置される。ユニット板２１の下面には、貯蔵室５内上部の冷却室１４内に位置する蒸発器１１が設けられている。この蒸発器１１には、該蒸発器１１に付着した霜を融解除去するためのデフロストヒータ１５が設けられている。
【００３５】
ここで、図２及び図３を参照して本実施例における冷凍サイクル装置１０の冷媒回路７について説明する。本実施例における冷凍サイクル装置１０には、冷媒として二酸化炭素が封入されており、高圧側の冷媒圧力（高圧圧力）がその臨界圧力以上（超臨界）となるスプリットサイクル（ガスインジェクション回路）を採用する。
【００３６】
本実施例の冷凍サイクル装置１０は、圧縮機１８を構成する低段側圧縮手段１８Ａ及び高段側圧縮手段１８Ｂと、放熱器１９と、分流器３７と、合流器３８と、補助膨張弁（副減圧装置）３９と、中間熱交換器４０と、内部熱交換器４１と、膨張弁（主減圧装置）８と、蒸発器１１とから冷媒回路７が構成されている。
【００３７】
低段側圧縮手段１８Ａで圧縮されて吐出された冷媒を高段側圧縮手段１８Ｂに吸い込ませて圧縮し、この高段側圧縮手段１８Ｂから出た高温高圧の冷媒を放熱器１９に流すことによって、当該高段側圧縮手段１８Ｂから出た冷媒を放熱冷却する。分流器３７は、放熱器１９から出た冷媒を第１の冷媒流と第２の冷媒流とに分流し、第１の冷媒流を副回路４２に流し、第２の冷媒流を主回路４３に流す。
【００３８】
分流器３７にて分流されて主回路４３を流れる第２の冷媒流は、中間熱交換器４０の内管（第２の流路）４０Ｂ、内部熱交換器４１の内管４１Ｂ、ストレーナ４４、膨張弁８、蒸発器１１、内部熱交換器４１の外管４１Ａ、逆止弁４５が介設された冷媒導入管２３、及びストレーナ４６を順次通り、低段側圧縮手段１８Ａの吸込側（低圧部）へ供給されるように接続される。
【００３９】
分流器３７にて分流されて副回路４２を流れる第１の冷媒流は、ストレーナ４７を経て補助膨張弁３９から中間熱交換器４０の外管（第１の流路）４０Ａに流れて主回路４３を流れる第２の冷媒流と熱交換した後、高段側圧縮手段１８Ｂの吸込側（中間圧部）へ供給されるように接続される。
【００４０】
次に、図５を参照して本実施例における冷凍サイクル装置１０の制御装置（制御手段）９について説明する。制御装置９は、汎用のマイクロコンピュータにより構成されており、時限手段としてのタイマ３２、演算処理部３３、記憶手段としてのメモリ３４を内蔵している。制御装置９には、各種設定スイッチや表示部などを備えたコントロールパネル３５が接続されている。各種設定スイッチには、詳細は後述する如く各設定値を任意に設定可能とするＬＣＤパネル（設定手段）３６も含まれる。
【００４１】
また、本実施例において、当該制御装置９の入力側には、少なくとも、貯蔵室５内（被冷却空間）の温度（庫内温度）ＰＴを検出する庫内温度センサ（被冷却空間温度検出手段）３１と、蒸発器１１の冷媒入口側温度ＥＩＮＴを検出するための蒸発器入口側温度センサ（蒸発器入口側温度検出手段）２９が接続されている。本実施例において、庫内温度センサ３１は、貯蔵室５から冷却室１４に吸い込まれる冷気の温度を貯蔵室５内（被冷却空間）の温度（庫内温度）ＰＴとして検出すべく、冷却室１４の冷気吸込側に設けられている。
【００４２】
これ以外にも、当該制御装置９の入力側には、外気温度を検出するための外気温度センサ４８、中間熱交換器４０の外管４０Ａの入口側温度を検出するための入口側温度センサ４９、中間熱交換器４０の外管４０Ａの出口側温度を検出するための出口側温度センサ５０、放熱器１９の冷媒出口側温度を検出するための放熱器出口側温度センサ５１、高段側圧縮手段１８Ｂの吐出ガス温度を検出する吐出ガス温度センサ５２等が接続されている。
【００４３】
他方、制御装置９の出力側には、圧縮機１８を駆動させる圧縮機モータ（ＤＣモータ）１８Ｍと、冷気循環用送風機１２を駆動させる送風機モータ１２Ｍ、放熱器用送風機２０を駆動させる送風機モータ２０Ｍ、膨張弁８、補助膨張弁３９、警報手段として警報ランプ５３等が接続されている。圧縮機モータ１８Ｍは、インバータ装置２４を介して接続されており、圧縮機モータ１８Ｍの運転周波数を任意に変更可能とされる。また、警報手段は、警報ランプ５３の他に、ブザーを採用しても良く、また、警報内容をコントロールパネル３５の表示部に表示しても良い。
【００４４】
本実施例において、主回路４３に設けられる膨張弁８及び副回路４２に設けられる補助膨張弁３９は、例えば、制御装置９により発生する駆動パルスに基づき、ステッピングモータによって駆動制御される所謂電子膨張弁を採用する。当該制御、特に膨張弁８の弁開度制御についての詳細は後述する。尚、本実施例では、補助膨張弁３９も電子膨張弁を採用しているが、これに限定されるものではなく、キャピラリチューブなど他の減圧手段を用いてもよい。
【００４５】
以上の構成により、制御装置９により冷凍装置１０が運転されると、圧縮機１８の低段側圧縮手段１８Ａの吸込側（低圧部）に取り込まれた冷媒は、ここで中間圧まで昇圧される。この低段側圧縮手段１８Ａにて圧縮された冷媒は、図示しない連通管より密閉容器内に吐出される。一端が密閉容器内にて開放した冷媒導入管は高段側圧縮手段１８Ｂの吸込側に設けられており、低段側圧縮手段１８Ａにて中間圧まで昇圧された冷媒と、合流器３８を経た副回路４２からの中間圧冷媒とが混合された冷媒が、当該冷媒導入管より高段側圧縮手段１８Ｂ（中間圧部）内に流入され、ここで更に所定の高圧まで昇圧される。
【００４６】
このとき、この高段側圧縮手段１８Ｂにて圧縮された冷媒の圧力（高圧側圧力ＨＰ）は、超臨界圧力とされ、当該超臨界状態で、放熱器１９に流入される。放熱器１９を出た冷媒は通過する過程で冷却された後、分流器３７に入り、第１の冷媒流が流れる副回路４２と、第２の冷媒流が流れる主回路４３とに分流される。副回路４２に流入した第１の冷媒流は、補助膨張弁３９で中間圧（即ち、低段側圧縮手段１８Ａの吐出圧力であり、高段側圧縮手段１８Ｂの吸込圧力と略同圧）まで減圧される。
【００４７】
そして、中間熱交換器４０の外管（第１の流路）４０Ａ内を通過し、当該外管（第１の流路）４０Ａ内を通過する過程で、内管４０Ｂを通過する第２の冷媒流と熱交換して蒸発する。その後、合流器３８にて、低段側圧縮手段１８Ａで圧縮された後の第２の冷媒流と合流して、高段側圧縮手段１８Ｂ（中間圧部）に吸い込まれる。
【００４８】
一方、主回路４３に流入した第２の冷媒流は、中間熱交換器４０の内管（第２の流路）４０Ｂ内を通過する過程で、補助膨張弁３９によって減圧された第１の冷媒流と熱交換して冷却された後、内部熱交換器４１の内管（第２の流路）４１Ｂ内を通過する。当該内管（第２の流路）４１Ｂ内を通過する過程で、外管（第１の流路）４１Ａ内を流れる蒸発器１１から出た冷媒と熱交換して冷却される。
【００４９】
そして、内部熱交換器４１から流出された第１の冷媒流は、膨張弁８にて蒸発圧力まで減圧された後、蒸発器１１内に流入し貯蔵室５内（被冷却空間）を熱源として蒸発し、内部熱交換器４１の外管４１Ａを経て低段側圧縮手段１８（低圧部）に吸い込まれる。ここで、内部熱交換器４１により、膨張弁８に流入する冷媒は、蒸発器１１から流出した低温冷媒と熱交換される。
【００５０】
このように、冷凍装置１０が運転されると、冷却室１４にて蒸発器１１と熱交換された冷気は、冷気循環用送風機１２により貯蔵室５に吐出されて、貯蔵室５内を循環した後、再び送風機１２によって冷却室１４内に帰還する循環を行う。
【００５１】
（Ａ）圧縮機モータ１８Ｍの制御
ここで、制御装置９は、庫内温度センサ３１により検出される貯蔵室５内の温度（庫内温度）ＰＴと、庫内設定温度ＳＴに基づき、庫内温度ＰＴが庫内設定温度ＳＴとなるように、圧縮機モータ１８Ｍの運転周波数制御を行う。通常、庫内温度ＰＴが庫内設定温度ＳＴより低いときには、圧縮機モータ１８Ｍの運転周波数を降下させて、高いときには運転周波数を上昇させる。
【００５２】
また、制御装置９は、上記圧縮機１８の周波数制御に加えて庫内温度センサ３１により検出される庫内温度ＰＴが庫内設定温度ＳＴの上側に設定された所定の上限温度ＨＳＴに達した場合、圧縮機モータ１８Ｍを起動し、庫内設定温度ＳＴの下側に設定された所定の下限温度ＬＳＴに達した場合、圧縮機モータ１８Ｍを停止するサーモサイクルを実行し、庫内温度ＰＴを庫内設定温度ＳＴに制御する。
【００５３】
（Ｂ−１）補助膨張弁３９の開度制御
制御装置９は、補助膨張弁３９の弁開度を制御する際、先ず、所定のサンプリング周期で外気温度センサ４８にて外気温度ＡＴを検出し、メモリ３４に取り込む。そして、取得した現在の外気温度ＡＴから中間熱交換器４０の外管４０Ａの入口側温度ＩＭＴＩの目標値ＩＭＴＩ１をメモリ３４に記憶された外気温度ＡＴをｘとし、入口側温度の目標値ＩＭＴＩ１をｙとする一次関数に基づき算出する。本実施例では、冷媒として高圧側圧力ＨＰが超臨界領域となる二酸化炭素を用いているため、冷媒回路の高圧側圧力ＨＰが超臨界領域にある場合と飽和領域にある場合とで当該一次関数（関数式）は、傾きが異なる。具体的には、当該二酸化炭素の超臨界温度付近、一例として外気温度ＡＴが３０℃以上では、３０℃未満の場合と比べて、その関数式の傾きが大きくなる。
【００５４】
これは、冷媒として二酸化炭素を用いた場合、外気温度ＡＴが３０℃以上では、高圧側圧力ＨＰが超臨界領域となるため、高圧側圧力ＨＰが飽和領域となる外気温度ＡＴが３０℃未満の場合と比べて、外気温度ＡＴの上昇による適正な中間圧力の変動が大きくなる。そのため、高圧側圧力の状況に追従して、中間圧力を適正とすべく、入口側温度目標値ＩＭＴＩ１を変更する。
【００５５】
以上より、制御装置９は、取り込んだ外気温度ＡＴから上記一次関数を用いて、当該外気温度ＡＴに対する中間熱交換器４０の入口側温度目標値ＩＭＴＩ１を取得する。そして、制御装置９は、取得された目標値ＩＭＴＩ１と、先ほど検出されて取り込まれた入口側温度ＩＭＴＩとを比較し入口側温度ＩＭＴＩが目標値ＩＭＴＩ１となるように補助膨張弁３９の開度を制御する。このとき、入口側温度ＩＭＴＩが目標値ＩＭＴＩ１から高いほど補助膨張弁３９の弁開度をより絞る方向に、低いほど弁開度をより開く方向に操作量のパルス制御を行う。
【００５６】
また、当該補助膨張弁３９の開度制御において、制御装置９は、所定のサンプリング周期で吐出ガス温度センサ５２が検出する圧縮機１８の吐出ガス温度ＤＴを検出し、当該吐出ガス温度ＤＴが所定値（異常値）以上に上昇した場合、この吐出ガス温度ＤＴを下げる方向に、即ち、補助膨張弁３９を拡張する方向に該補助膨張弁３９の開度を制御する。これにより、安全性の確保を図っている。
【００５７】
（Ｂ−２）補助膨張弁３９の温度差制御
尚、補助膨張弁３９の開度制御は、上記入口側温度ＩＭＴＩに基づく制御に限られず、本実施例のように出口側温度ＩＭＴＯを検出する中間熱交換器出口側温度センサ５０を備えた冷凍サイクル装置１０では、第１の冷媒流の中間熱交換器４０の出口側温度ＩＭＴＯと入口側温度ＩＭＴＩとの差ＩＭＴｅが所定の温度差目標値となるように開度を制御してもよい。
【００５８】
この場合、検出された温度差ＩＭＴｅが温度差目標値よりも小さいときには、補助膨張弁３９の開度を縮小し、大きいときには開度を拡大する。これにより、第１の冷媒流の流量の適正化を図ることで、第１の冷媒流及びこれと分流された第２の冷媒流との最適な流量制御を実現し、スプリットサイクルによる効率改善効果を発揮することができる。
【００５９】
（Ｃ）膨張弁８の開度制御
次に、膨張弁８の開度制御について説明する。先ず、制御装置９は、現在、プルダウン運転時（プルダウン時）であるか、冷却安定運転時（安定時）であるか否かを判定する。具体的には、図６に示すように、制御装置９は、庫内温度センサ３１により検出された貯蔵室（被冷却空間）５内の温度（庫内温度）ＰＴが、貯蔵室５の設定温度（庫内設定温度ＳＴ）より所定温度ＤＦ１、例えば１０ｄｅｇ高い冷却到達温度ＣＨＴ（＝ＳＴ＋ＤＦ１）より高いか否かで判定する。庫内温度ＰＴ＞冷却到達温度ＣＨＴの場合はプルダウン時、冷却到達温度ＣＨＴ≦庫内温度ＰＴの場合は安定時と判定する。
【００６０】
上記判定がプルダウン時の場合の膨張弁８の開度制御について説明する。先ず、制御装置９は、庫内温度センサ３１により庫内温度ＰＴを検出し、蒸発器入口側温度センサ２９により蒸発器１１の冷媒入口側温度（エバ入口温度ＥＩＮＴ）を検出する。そして、これら庫内温度ＰＴとエバ入口温度ＥＩＮＴとの温度差Ｔｅ（＝ＰＴ−ＥＩＮＴ）を算出する。
【００６１】
そして、制御装置９は、当該温度差Ｔｅが所定の目標温度差Ｔｅｓ１となるように膨張弁８の開度の操作量を取得し、膨張弁８の開度を制御する。本実施例では、プルダウン時に採用される目標温度差Ｔｅｓ１は、例えば２０ｄｅｇとする。
【００６２】
一方、上記判定が安定時の場合には、制御装置９は、上記プルダウン時と同様に、庫内温度センサ３１により庫内温度ＰＴを検出し、蒸発器入口側温度センサ２９により蒸発器１１の冷媒入口側温度（エバ入口温度ＥＩＮＴ）を検出する。そして、これら庫内温度ＰＴとエバ入口温度ＥＩＮＴとの温度差Ｔｅ（＝ＰＴ−ＥＩＮＴ）を算出する。
【００６３】
そして、制御装置９は、当該温度差Ｔｅがプルダウン時における目標温度差Ｔｅｓ１よりも小さい所定の目標温度差Ｔｅｓ２となるように膨張弁８の開度の操作量を取得し、膨張弁８の開度を制御する。本実施例では、プルダウン時に採用される目標温度差Ｔｅｓ２は、例えば１５ｄｅｇとする。
【００６４】
これにより、プルダウン運転の開始から庫内温度ＰＴが冷却到達温度ＣＨＴに低下するまでのプルダウン時における目標温度差Ｔｅｓ１より、庫内温度ＰＴが冷却到達温度ＣＨＴ以下の安定時における目標温度差Ｔｅｓ２を小さくすることにより、プルダウン時では早期冷却を実現し、安定時では精度の高い温度制御を実現することを可能とすることができる。
【００６５】
また、膨張弁８の操作量は、プルダウン時と安定時とで異なる値を採用し、即ち、プルダウン時では大きく、安定時はプルダウン時より小さい値を採用する。これにより、プルダウン時では安定時よりも一回の操作で大きく開度を変化させ、安定時では一回の操作で小さく開度を変化させることで、プルダウン時及び安定時において効率的な冷却制御を実行する。
【００６６】
このように、膨張弁８の開度制御を庫内温度ＰＴとエバ入口温度ＥＩＮＴとの温度差Ｔｅに基づき制御することにより、例えば、業務用冷凍庫Ｒの庫内設定温度ＳＴが−１５℃〜−２５℃とされた場合であっても、圧縮機１８の使用基準とされるエバ入口温度ＥＩＮＴは、安定時において当該庫内設定温度ＳＴに冷却制御される庫内温度ＰＴとの温度差Ｔｅが目標温度差Ｔｅｓ２となるように制御される。従って、膨張弁８の開度が庫内設定温度ＳＴとエバ入口温度ＥＩＮＴが所定の目標温度差Ｔｅｓ２を有するように制御されることで、該エバ入口温度ＥＩＮＴが所定の使用限界基準を下回らないように適切な制御を実現することができる。
【００６７】
（Ｄ）膨張弁８の異常判定
上記膨張弁８に詰まりが発生し、或いは、電気回路に異常が発生して動作不良、不能に陥った場合には、膨張弁８による上述したような開度制御を実行することができなくなるため、貯蔵室５内を所定の冷凍温度に冷却することができなくなる冷却不良状態が生じる。以下に、場合に分けて膨張弁８の異常判定制御について詳述する。
【００６８】
（Ｄ−１）プルダウン時
プルダウン時において、制御装置９が上述したような庫内温度ＰＴとエバ入口温度ＥＩＮＴとの温度差Ｔｅが目標温度差Ｔｅｓ１となるように膨張弁８の開度制御を実行している際に、図７に示すように、制御装置９が、算出された温度差Ｔｅが目標温度差Ｔｅｓ１よりも所定値小さい所定の限界値Ｔｅ１まで縮小し、当該限界値Ｔｅ１よりも縮小した状態（Ｔｅ≦Ｔｅ１）が所定期間ｔ１継続した場合には、膨張弁８に異常が発生しているものと判断する。
【００６９】
本実施例では、プルダウン時における目標温度差Ｔｅｓ１は、２０ｄｅｇであり、異常を判断するのに用いられる温度差Ｔｅの限界値Ｔｅ１は、一例として１０ｄｅｇとする。また、異常が発生したか否かを判断する限界値Ｔｅ１を下回ってからの所定時間ｔ１は、一例として３０分（例えば３０分〜６０分で設定変更可能）とする。尚、これらの値は一例であって、これに限定されるものではない。
【００７０】
（Ｄ−２）安定時
安定時において、制御装置９が上述したような庫内温度ＰＴとエバ入口温度ＥＩＮＴとの温度差Ｔｅが目標温度差Ｔｅｓ２となるように膨張弁８の開度制御を実行している際に、図７に示すように、制御装置９が、算出された温度差Ｔｅが目標温度差Ｔｅｓ２よりも所定値小さい所定の限界値Ｔｅ２まで縮小し、当該限界値Ｔｅ２よりも縮小した状態（Ｔｅ≦Ｔｅ２）が所定期間ｔ２継続した場合には、膨張弁８に異常が発生しているものと判断する。
【００７１】
本実施例では、安定時における目標温度差Ｔｅｓ２は、１５ｄｅｇであり、異常を判断するのに用いられる温度差Ｔｅの限界値Ｔｅ２は、プルダウン時において用いられる限界値Ｔｅ１よりも小さい値の一例として８ｄｅｇとする。また、異常が発生したか否かを判断する限界値Ｔｅ２を下回ってからの所定時間ｔ２は、一例として３０分（例えば３０分〜６０分で設定変更可能。プルダウン時における所定時間ｔ１と同様の時間を採用してもよいが異なる時間を設定してもよい）とする。尚、これらの値は一例であって、これに限定されるものではない。
【００７２】
このように、プルダウン時であっても安定時であっても、庫内温度ＰＴとエバ入口温度ＥＩＮＴとの温度差Ｔｅで膨張弁８の弁開度を制御することで、圧縮機１８の使用限界基準を下回らないような適切な制御を実現しつつ、膨張弁８の異常を確実に判断することが可能となる。
【００７３】
また、本実施例では、膨張弁８の異常が発生したか否かの判断に用いる限界値をプルダウン時における限界値Ｔｅ１より安定時における限界値Ｔｅ２を小さく設定している。そのため、プルダウン時における庫内温度ＰＴとエバ入口温度ＥＩＮＴとの温度差Ｔｅの目標温度差Ｔｅｓ１より安定時における目標温度差Ｔｅ２を小さくすることで、プルダウン時では早期冷却を実現し、安定時では精度の高い温度制御を行っている場合において、より的確に膨張弁８の異常を判断することができる。
【００７４】
（Ｄ−３）高温時
一方、本実施例では、上述したようなプルダウン時及び安定時における庫内温度ＰＴとエバ入口温度ＥＩＮＴとの温度差Ｔｅが所定の限界値（Ｔｅ１又はＴｅ２）まで縮小し、その状態が所定時間継続した場合に膨張弁８の異常と判断する制御と平行して、庫内温度ＰＴの高温状態が継続した場合にも膨張弁８の異常と判断する。
【００７５】
即ち、制御装置９は、庫内温度センサ３１により庫内温度ＰＴを所定のサンプリング周期にて検出し、当該温度ＰＴが庫内設定温度ＳＴよりも所定温度ＤＦ２、一例として１０ｄｅｇ高い所定の高温設定値ＴＨ１（＝ＳＴ＋ＤＦ２）以上の状態（ＰＴ≧ＴＨ１）が所定期間ｔ３継続した場合には、膨張弁８に異常が発生しているものと判断する。尚、当該所定期間ｔ３は、正常にプルダウン運転が行われた場合に、庫内温度ＰＴが当該高温設定値ＴＨ１以上の状態が継続し得ない時間よりも長い時間、例えば６０分とし、当該時間は任意に設定可能とする。
【００７６】
これにより、制御装置９は、上述したような庫内温度ＰＴとエバ入口温度ＥＩＮＴとの温度差Ｔｅによる膨張弁８の異常判断の結果に関わらず、当該判断制御と平行して、庫内温度ＰＴが高温設定値ＴＨ１以上に上昇し、その状態が所定期間ｔ３継続した場合、膨張弁８の異常と判断することにより、より確実に膨張弁８の異常を判断して貯蔵室５に収容された被冷却物の保護を図ることが可能となる。
【００７７】
（Ｅ）膨張弁８異常時の回避動作
次に、上述した如き庫内温度ＰＴとエバ入口温度ＥＩＮＴとの温度差Ｔｅによる膨張弁８の異常判定又は高温異常検出による膨張弁８の異常判定によって、膨張弁８の異常を検出した場合、制御装置９は、一連の回避動作を実行する。
【００７８】
当該回避動作では、制御装置９は、先ず膨張弁８の異常を判断した場合、圧縮機１８の運転を停止し、同様に、冷気循環用送風機１２の運転を停止する。そして、膨張弁８の開度を全閉（即ち、制御域最大値、例えば７００パルス閉じた状態）とした後、所定の流量が確保される値に膨張弁８の開度（所定の規定開度）とする所定の回避動作を実行する。
【００７９】
その後、制御装置９は、圧縮機１８を起動する。これにより、係る一連の回避動作を実行することで、一時的に膨張弁８にゴミ等が詰まってしまっていた場合等の一時的な異常を解消することが可能となる。これにより、当該回避動作を実行している場合であっても、膨張弁８が所定の規定開度とされることで、オイル戻しの確保や、過負荷運転の回避することができると共に、継続した冷却運転を実行することが可能となる。
【００８０】
そして、一連の回避動作を実行することで、庫内温度ＰＴとエバ入口温度ＥＩＮＴとの温度差Ｔｅがプルダウン時では限界値Ｔｅ１、安定時では目標温度差Ｔｅ２よりも拡大していった場合には、若しくは、庫内温度ＰＴが高温設定値ＴＨ１より低下した場合には、制御装置９は、係る回避動作によって膨張弁８の異常が解消されたものと判断し、通常の庫内温度ＰＴとエバ入口温度ＥＩＮＴとの温度差Ｔｅに基づく膨張弁８の開度制御に復帰する。
【００８１】
（Ｆ）回避動作によって膨張弁８の異常が解消されない場合
上記一連の回避動作によっても、膨張弁８の異常が解消されない場合、即ち、庫内温度ＰＴとエバ入口温度ＥＩＮＴとの温度差Ｔｅがプルダウン時では限界値Ｔｅ１、安定時では目標温度差Ｔｅ２よりも拡大していかない場合には、若しくは、庫内温度ＰＴが高温設定値ＴＨ１より低下しない場合には、庫内温度ＰＴが低下しないこととなる。
【００８２】
そのため、制御装置９は、庫内温度センサ３１により庫内温度ＰＴを所定のサンプリング周期にて検出し、図６に示すように、当該温度ＰＴが庫内設定温度ＳＴよりも所定温度ＤＦ３、一例として１２ｄｅｇ高い所定の異常高温設定値ＴＨ２（＝ＳＴ＋ＤＦ３）以上の状態（ＰＴ≧ＴＨ２）が所定期間ｔ４継続した場合には、警報ランプ５３を点灯する。圧縮機１８及び冷気循環用送風機１２は停止せず制御を継続する。
【００８３】
この際、異常高温設定値ＴＨ２は、高温時状態か否かを判断するのに用いられる高温設定値ＴＨ１と同一、若しくは、異なる値を採用してもよいが、当該高温設定値ＴＨ１よりも少なくとも高い温度としてもよい。また、運転を停止するまでの当該所定期間ｔ４は、当該高温時状態か否かを判断するのに用いられる所定時間ｔ３よりも長い時間、本実施例では１２０分としてもよい。尚、これら異常高温設定値ＴＨ２及び所定時間ｔ４は、当該時間は任意に設定可能とする。
【００８４】
これにより、上記回避動作を実行しても庫内温度ＰＴの高温異常が継続した場合、運転を停止して、警報を発することで点検を促すことが可能となる。従って、早期に点検を実施し、異常に対応することが可能となる。
【００８５】
上述したように、本実施例では、所謂スプリットサイクルを採用しているため、低段側圧縮手段１８Ａで圧縮されて吐出された冷媒を高段側圧縮手段１８Ｂに吸い込ませて圧縮し、該高段側圧縮手段１８Ｂから吐出された冷媒を放熱器１９に流すと共に、当該放熱器１９から出た冷媒を分流器３７にて主回路４３と副回路４２とに分流し、副回路４２に流れる冷媒を補助膨張弁３９から中間熱交換器４０に流して分流器３７から主回路４３に流れる冷媒と熱交換させた後、高段側圧縮手段１８Ｂに吸い込ませ、主回路４３に流れる冷媒を膨張弁８から蒸発器１１に流した後、低段側圧縮手段１８Ａに吸い込ませることにより、放熱器１９で放熱した後の冷媒を分流し、補助膨張弁３９で減圧膨張された副回路４２の冷媒流により、主回路４３の冷媒流を冷却することができるようになる。
【００８６】
そのため、蒸発器１１入口の比エンタルピを小さくすることができるようになる。これにより、冷凍効果を大きくすることが可能となり、従来の装置に比べて効果的に性能を向上させることができるようになる。また、分流された副回路４２の冷媒流は圧縮機１８の中間圧部に戻されるため、圧縮機１８の低圧部に吸い込まれる主回路４３の冷媒流の量が減少し、低圧から中間圧まで圧縮するための圧縮機１８における圧縮仕事量が減少する。その結果、圧縮機１８における圧縮動力が低下して成績係数が向上する。
【００８７】
このような、上記所謂スプリットサイクルの冷凍サイクル装置において、上記各発明を採用することにより、補助膨張弁３９と膨張弁８の二つの減圧装置を備えた場合であっても、蒸発器１１に流入する冷媒を減圧する膨張弁８の異常を的確に判断し、庫内温度ＰＴが致命的な温度にまで上昇してしまう不都合を未然に回避することを可能とすることができる。
【００８８】
また、本実施例では、冷媒として二酸化炭素を使用したことにより、冷凍能力を効果的に改善でき、性能の向上を図ることができる。
【符号の説明】
【００８９】
Ｒ    業務用冷凍庫（低温貯蔵庫）
５    貯蔵室（被冷却空間）
７    冷媒回路
８    膨張弁（主減圧装置）
９    制御装置（制御手段）
１０    冷凍サイクル装置
１１    蒸発器
１２    冷気循環用送風機
１８    圧縮機（圧縮装置）
１８Ａ  低段側圧縮手段
１８Ｂ  高段側圧縮手段
１８Ｍ  圧縮機モータ
１９    放熱器
２０    放熱器用送風機
２９    蒸発器入口側温度センサ（蒸発器入口側温度検出手段）
３１    庫内温度センサ（被冷却空間温度検出手段）
３２    タイマ（時限手段）
３３    演算処理部
３４    メモリ（記憶手段）
３５    コントロールパネル
３６    ＬＣＤパネル（設定手段）
３９    補助膨張弁（副減圧装置）
４０    中間熱交換器
４１    内部熱交換器
４２    副回路
４３    主回路
５３    警報ランプ（警報手段）
【図１】
2012102970.tif 000003
【図２】
2012102970.tif 000004
【図３】
2012102970.tif 000005
【図４】
2012102970.tif 000006
【図５】
2012102970.tif 000007
【図６】
2012102970.tif 000008
【図７】
2012102970.tif 000009